(57)【要約】【課題】  装着した状態で体を動かすことができる範囲が大きく確保され、装脱を簡単迅速に行なえる座位補助具を提供すること。【解決手段】  座位補助具１０は、弾性及び伸縮性を有する腰用帯板部１２と上側帯板部１４と下側帯板部１６とで構成されている。腰用帯板部１２を腰に当て、右側に位置する上側帯板部１４を伸張させて左足の膝に回し、左側に位置する下側帯板部１６を伸張させて左足の膝に回し、それらの先部を面ファスナー１８で係止させる。また、左側に位置する上側帯板部１４を伸張させて右足の膝に回し、右側に位置する下側帯板部１６を伸張させて右足の膝に回し、それらの先部を面ファスナー１８で係止させる。このような装着状態で、腰用帯板部１２により腰が起立した状態が保持され、腰用帯板部１２が腰部の支えとなり背もたれとして機能する。【選択図】        図１
2005074138.tif 000002
【特許請求の範囲】
【請求項１】
左右に腰部に沿って装着される長さと腰部の上下範囲に当たる幅で形成された帯板状の腰用帯板部と、
前記腰用帯板部の長さ方向の両端の上下部からそれぞれ帯板状に延在する上側帯板部と下側帯板部とを備え、
前記腰用帯板部と前記上側帯板部と前記下側帯板部とは、弾性及び伸縮性を有する一枚の帯板から切り落とされることで形成されており、
前記腰用帯板部を腰部に当て、前記腰用帯板部の右側に位置する上側帯板部を伸張させて腰部から股の間を通って左足の膝に回し、前記腰用帯板部の左側に位置する下側帯板部を伸張させて腰部から左足の外側を通って左足の膝に回し、それら上側帯板部の先部と下側帯板部の先部とを係止させ、かつ、前記腰用帯板部の左側に位置する上側帯板部を伸張させて腰部から股の間を通って右足の膝に回し、前記腰用帯板部の右側に位置する下側帯板部を伸張させて腰部から右足の外側を通って右足の膝に回し、それら上側帯板部の先部と下側帯板部の先部とを係止させ、これら上側帯板部および下側帯板部の弾性力により前記腰用帯板部を腰部に当て付け腰部が前記腰用帯板部により起立されるように構成され、
さらに、前記上側帯板部および下側帯板部の各先部には、前記係止を行なわせるための面ファスナーがこれら上側帯板部と下側帯板部の延在方向に沿って延在して設けられている、
ことを特徴とする座位補助具。
【請求項２】
前記腰用帯板部の長さ方向の両端に前記幅の寸法を小さくしたくびれ部が設けられ、前記上側帯板部と下側帯板部はこのくびれ部の端部の上下部からそれぞれ帯板状に延在していることを特徴とする請求項１記載の座位補助具。
【請求項３】
前記腰用帯板部は直線状に延在し、前記上側帯板部と前記下側帯板部とは互いに平行する直線状に延在しており、前記腰用帯板部の上縁と前記上側帯板部の上縁はほぼ同一直線上に位置し、かつ、前記腰用帯板部の下縁と前記下側帯板部の下縁はほぼ同一直線上に位置するように形成されていることを特徴とする請求項１記載の座位補助具。
【請求項４】
前記腰用帯板部が腰部に当て付けられ面には着脱可能に腰当てパッドが設けられていることを特徴とする請求項１記載の座位補助具。
【発明の詳細な説明】
【技術分野】
【０００１】
本発明は、腰痛緩和や腰痛防止、良い姿勢への矯正、座っている姿勢での腰に掛かる負担の軽減などを目的とした座位補助具に関する。
【背景技術】
【０００２】
腰痛緩和や腰痛防止を図るため、従来、腰部に沿って当て付けられる腰帯と、この腰帯の左右両端から延在する上下のストラップとを有する座位補助具が知られている（例えば、特許文献１、特許文献２参照）。
【特許文献１】特開平１−２０１５０５号公報
【特許文献２】米国特許第４７７３１０６号公報
【０００３】
これらの座位補助具では、腰帯を腰部に沿って当て付け、右側の上下のストラップを右足の膝に巻回し、左側の上下のストラップを左足の膝に巻回し、ストラップアジャスターによって締めを調整し、腰帯を背もたれとして機能させるようにしている。
【発明の開示】
【発明が解決しようとする課題】
【０００４】
しかしながら、ストラップとして布製のものを使用し、また、ストラップアジャスターによってストラップの締めを調整しているため下記のような不具合があった。
１．布製のストラップによる締めなので、締めた時の動作の許容範囲が極めて少ない。そのため、少しでも前かがみになると、膝と腰の締めがなくなり、その結果ストラップが膝から抜け出てしまう不具合がある。例えば、オフィスで椅子に腰掛けて座位補助具を装着している時に、電話に応対するために前屈みになると、座位補助具がずり落ちてしまう。
２．逆に上体を反った時は、腰と膝に極度に強い締めが発生し、腰や膝に悪影響を与える不具合がある。
３．ストラップアジャスターによってストラップの締めが調整された後は、腰から膝までのストラップの長さが常に一定値となるため、同じ姿勢を強要され、両膝の上下の動作や屈折動作、股間の左右の開閉動作が困難となり、長時間使用時はかえって疲れる不具合がある。仮に無理に股間を広げれば腰と膝に必要以上の力が加わり、腰や膝を痛めてしまう不具合がある。
４．ストラップアジャスターのロックを解除するのに手間が掛かるため、緊急に座位補助具を取り外そうとしても、迅速に取り外せない不具合があった。
【０００５】
本発明は前記事情に鑑み案出されたものであって、本発明の目的は、姿勢を変えても装着状態が維持され、強い締めにより腰や膝に悪影響を与える不具合もなく、装脱を簡単迅速に行なえる座位補助具を提供することにある。
【課題を解決するための手段】
【０００６】
前記目的を達成するため本発明の座位補助具は、左右に腰部に沿って装着される長さと腰の上下範囲に当たる幅で形成された帯板状の腰用帯板部と、前記腰用帯板部の長さ方向の両端の上下部からそれぞれ帯板状に延在する上側帯板部と下側帯板部とを備え、前記腰用帯板部と前記上側帯板部と前記下側帯板部とは、弾性及び伸縮性を有する一枚の帯板から切り落とされることで形成されており、前記腰用帯板部を腰部に当て、前記腰用帯板部の右側に位置する上側帯板部を伸張させて腰部から股の間を通って左足の膝に回し、前記腰用帯板部の左側に位置する下側帯板部を伸張させて腰部から左足の外側を通って左足の膝に回し、それら上側帯板部の先部と下側帯板部の先部とを係止させ、かつ、前記腰用帯板部の左側に位置する上側帯板部を伸張させて腰部から股の間を通って右足の膝に回し、前記腰用帯板部の右側に位置する下側帯板部を伸張させて腰部から右足の外側を通って右足の膝に回し、それら上側帯板部の先部と下側帯板部の先部とを係止させ、これら上側帯板部および下側帯板部の弾性力により前記腰用帯板部を腰部に当て付け腰部が前記腰用帯板部により起立されるように構成され、さらに、前記上側帯板部および下側帯板部の各先部には、前記係止を行なわせるための面ファスナーがこれら上側帯板部と下側帯板部の延在方向に沿って延在して設けられていることを特徴とする。
【発明の効果】
【０００７】
上側帯板部と下側帯板部とは伸縮性および弾性を有する部材から構成されているので、座位補助具を体に装着した状態で体を動かせる許容範囲が大きく確保される。そのため、例えば、前かがみになっても座位補助具が外れてしまう不具合がない。
また、逆に上体を反った時でも、体の反りの量に比例して締め付け力が徐々に強くなるため、急激な強い締めにより腰や膝に悪影響を与える不具合もない。
また、座位補助具を体に装着した状態において、腰から膝までの上側帯板部と下側帯板部の長さは可変であり足を動かすことができる。したがって、両膝の上下の動作や屈折動作、股間の左右の開閉動作などを簡単に行なえ、長時間同じ姿勢を強要されることで疲れるといった不具合もない。
また、上側帯板部と下側帯板部の各先部に、これら上側帯板部、下側帯板部の延在方向に沿った長さを有する面ファスナーが取着されているので、上側帯板部と下側帯板部による締め付け力の調整や、座位補助具の体への装脱も簡単、迅速に行なうことができる。
また、腰用帯板部と上側帯板部と下側帯板部とは、弾性及び伸縮性を有する一枚の帯板から切り落とされることで形成されているため、低コストで製造することができ、また、丸め込むなどすることでガザ張ることがないため、携帯性を有し簡単に持ち運びすることができる。
本発明の座位補助具は、例えば、椅子に座って仕事をする時やテレビを見る時、畳の上に座ってテレビを見たりテレビゲームをする時、背もたれのない椅子に座って魚釣りをする時、畳の上でマージャンをする時などに使用すると、膝を支点にして背もたれとして機能するため、腰の負担が軽減され、子供から年寄りにわたり広く使用されるものである。
【発明を実施するための最良の形態】
【０００８】
座位補助具を、腰用帯板部と上側帯板部と下側帯板部とで構成し、弾性及び伸縮性を有する一枚の帯板から切り落すことで形成することにより上記の目的を達成した。
【実施例１】
【０００９】
以下、本発明の実施例について図面を参照して説明する。
図１は実施例１に係る座位補助具の平面図、図２は使用者があぐらをかいて座っている姿勢で座位補助具を装着した状態の正面図を示す。
座位補助具１０は、腰用帯板部１２と、上側帯板部１４と、下側帯板部１６と、面ファスナー１８を含んで構成されている。
腰用帯板部１２と上側帯板部１４と下側帯板部１６は、弾性及び伸縮性を有する一枚の帯板から型などを用いることで切り落とされて形成されており、このような帯板として、例えば、ゴム板や布地入りゴム板などを用いることができる。
腰用帯板部１２は、左右に腰部に沿って装着される長さと腰部の上下範囲に当たる幅で帯板状に形成されている。本実施例では腰用帯板部１２は左右に直線状に延在し、左右に長い長方形に形成されている。なお、幅は、腰を起立させ背もたれとして機能させる関係上、１０ｃｍ〜１５ｃｍ程度の寸法が好ましい。
【００１０】
上側帯板部１４と下側帯板部１６は、腰用帯板部１２の左右の長さ方向の両端の上下部からそれぞれ帯板状に延在形成されている。
本実施例では、上側帯板部１４と下側帯板部１６との間にスリットＳが設けられ、このスリットＳを挟んで上側帯板部１４と下側帯板部１６とは互いに平行する直線状に延在している。そして、腰用帯板部１２の上縁と上側帯板部１４の上縁はほぼ同一直線上に位置し、かつ、腰用帯板部１２の下縁と下側帯板部１４の下縁はほぼ同一直線上に位置するように形成されている。
また、本実施例では、上側帯板部１４は下側帯板部１６よりも長い寸法で形成されている。
さらに、上側帯板部１４と下側帯板部１６との幅は等しい寸法で形成され、上側帯板部１４と下側帯板部１６との間にスリットＳが設けられている関係上、上側帯板部１４と下側帯板部１６との幅は、腰用帯板部１２の幅の１／２よりも僅かに小さい寸法で形成されている。
本実施例では、腰用帯板部１２の左右の長さ方向の両端に幅が小さいくびれ部２０が形成され、上側帯板部１４と下側帯板部１６はこのくびれ部２０の端部から延在形成されている。
くびれ部２０を設けているのは、図２に示すように、くびれ部２０が左右の脇腹側部に位置することで、腰用帯板部１２を腰に確実に当て付け易くし、また、この当て付けた状態で上側帯板部１４と下側帯板部１６を左右の膝に装着させ易いようにするためである。
【００１１】
面ファスナー１８は上側帯板部１４および下側帯板部１６の各先部に取着され、面ファスナー１８によりこれらの先部が着脱可能に係止できるように構成されている。
面ファスナー１８は、上側帯板部１４ではその先部の内面（座位補助具１０が体に装着された際に体に当て付けられる側）に上側帯板部１４の延在方向に沿って所定の長さにわたって延在するように設けられている。
また、面ファスナー１８は、下側帯板部１６ではその先部の外面（座位補助具１０が体に装着された際に外方に向けられる側）に下側帯板部１６の延在方向に沿って所定の長さにわたって延在するように設けられている。
【００１２】
つぎに、使用方法について説明する。
腰用帯板部１２を腰部に当てる。より詳細には、体の背側において腰用帯板部１２を腰部の左右に沿って当て付ける。
つぎに、腰用帯板部１２の右側に位置する上側帯板部１４を伸張させて腰から股の間を通って左足の膝に回し、腰用帯板部１２の左側に位置する下側帯板部１６を伸張させて腰から左足の外側を通って左足の膝に回し、それら上側帯板部１４の先部の内面の面ファスナー１８と下側帯板部１６の先部の外面の面ファスナー１８を係止させる。
また同様に、腰用帯板部１２の左側に位置する上側帯板部１４を伸張させて腰から股の間を通って右足の膝に回し、腰用帯板部１２の右側に位置する下側帯板部１６を伸張させて腰から右足の外側を通って右足の膝に回し、それら上側帯板部１４の先部の内面の面ファスナー１８と下側帯板部１６の先部の外面の面ファスナー１８を係止させる。
【００１３】
このように上側帯板部１４の先部と下側帯板部１６の先部とを係止させた状態で、これら上側帯板部１４および下側帯板部１６の弾性力により腰用帯板部１２が腰に当て付けられ、腰用帯板部１２により腰が起立した状態が保持され、腰用帯板部１２が腰部の支えとなり背もたれとして機能するように構成されている。
より詳細には、上側帯板部１４と下側帯板部１６を介して腰用帯板部１２の長さ方向の両端が左右の膝方向に引っ張られ、これにより腰用帯板部１２により腰が起立した状態が保持され、腰用帯板部１２が腰部の支えとなり背もたれとして機能するように構成されている。
【００１４】
本実施例によれば次のような効果が奏される。
１．上側帯板部１４と下側帯板部１６とをそれぞれ伸張させて座位補助具１０を体に装着した状態において、腰用帯板部１２と上側帯板部１４と下側帯板部１６とは全て伸縮性および弾性を有する部材から構成されているので、これら腰用帯板部１２と上側帯板部１４と下側帯板部１６とが伸縮することで、特に、上側帯板部１４と下側帯板部１６とが伸縮することで体を動かせる許容範囲が大きく確保される。そのため、前かがみになっても、膝と腰の間の締め付け力が幾分弱まるだけであり依然として締め付け力が発揮されているので、座位補助具１０が外れてしまう不具合がない。したがって、例えば、オフィスで椅子に腰掛けて座位補助具を装着している時に、電話に応対するために前屈みになっても、座位補助具がずり落ちることがない。
２．また、逆に上体を反った時でも、体の反りの量に比例して締め付け力が徐々に強くなるため、急激な強い締めにより腰や膝に悪影響を与える不具合もない。
【００１５】
３．締め付け力を調整して座位補助具１０を体に装着した状態でも、上側帯板部１と下側帯板部１６とは伸縮性および弾性を有するので、腰から膝までの上側帯板部１４と下側帯板部１６の長さは可変であり、足を動かすことができる。したがって、両膝の上下の動作や屈折動作、股間の左右の開閉動作などを簡単に行なえ、長時間同じ姿勢を強要されることで疲れるといった不具合もない。
４．上側帯板部１４と下側帯板部１６の各先部に所定の長さの面ファスナー１８が取着されているので、上側帯板部１４と下側帯板部１６による締め付け力の調整を簡単、迅速に行なえる。
また、面ファスナー１８の係脱により座位補助具１０の体への装脱が行なわれるので、座位補助具１０を簡単、迅速に装着できることは無論のこと、取り外しもワンタッチで簡単、迅速に行なうことができる。
また、面ファスナー１８は、上側帯板部１４と下側帯板部１６の延在方向に沿って延在しているので、面ファスナー１８が係脱できる範囲で、使用者の体の大きさの差異に簡単に対応できる。
【００１６】
５．腰用帯板部１２と上側帯板部１４と下側帯板部１６は、弾性及び伸縮性を有する一枚の帯板から切り落とされることで形成されているので、低コストで製造することができ、また、丸め込むなどすることでガザ張ることがないため、携帯性を有し簡単に持ち運びすることができる。
この場合、実施例のように、腰用帯板部１２の上縁と上側帯板部１４の上縁はほぼ同一直線上に位置し、かつ、腰用帯板部１２の下縁と下側帯板部１４の下縁はほぼ同一直線上に位置するように形成しておくと、用いる一枚の帯板の面積を最小にでき、より低コストを実現する上で有利となる。
６．また実施例では、腰用帯板部１２の左右両端にくびれ部２０を設けたので、腰用帯板部１２を腰に確実に当て付け易くなり、また、上側帯板部１４と下側帯板部１６の取り回しが円滑に行なわれ左右の膝に装着させ易くなる。すなわち、座位補助具１０の体への装着を確実に円滑に行なう上で有利となる。
【００１７】
なお、背の高さや太り具合により腰周りの寸法や腰から膝までの寸法などが人によって異なってくるので、背の高い人や太った人を対象として上側帯板部１４、下側帯板部１６、面ファスナー１８を予め長く形成しておけば、面ファスナー１８を係脱させる箇所を変えることで体の大きさに広く対応できる。
この場合、腰用帯板部１２や上側帯板部１４、下側帯板部１６の幅や長さの異なる、例えば、Ｓ、Ｍ、Ｌ、ＬＬなどの大きさの異なった複数種類の座位補助具１０を用意するようにしてもよい。
【実施例２】
【００１８】
つぎに、実施例２について説明する。なお、以下の実施例において実施例１と同様な箇所、部材に同一の符号を付して説明する。
図３は実施例２に係る座位補助具の平面図、図４は使用者が椅子に座っている姿勢で座位補助具を装着した状態の正面図を示す。
実施例２の座位補助具１０は実施例１と比べて、上側帯板部１４と下側帯板部１６とが同一の長さで形成されている点のみが異なり、他の構成は実施例１と同様である。
図４に示すように、椅子に座る場合も、あぐらをかく場合と同様に、上側帯板部１４と下側帯板部１６が取り回される。
【００１９】
すなわち、腰用帯板部１２を腰に当て、腰用帯板部１２の右側に位置する上側帯板部１４を伸張させて股の間を通って左足の膝に回し、腰用帯板部１２の左側に位置する下側帯板部１６を伸張させて左足の外側を通って左足の膝に回し、それら上側帯板部１４の先部の内面の面ファスナー１８と下側帯板部１６の先部の外面の面ファスナー１８を係止させる。また同様に、腰用帯板部１２の左側に位置する上側帯板部１４を伸張させて股の間を通って右足の膝に回し、腰用帯板部１２の右側に位置する下側帯板部１６を伸張させて右足の外側を通って右足の膝に回し、それら上側帯板部１４の先部の内面の面ファスナー１８と下側帯板部１６の先部の外面の面ファスナー１８を係止させる。
このように座位補助具１０を装着した状態で、腰用帯板部１２により腰が起立される状態が保持され、腰用帯板部１２が腰部の支えとなり背もたれとして機能し、実施例１と同様な作用効果が奏される。
【実施例３】
【００２０】
つぎに、実施例３について説明する。
図５は実施例３に係る座位補助具の斜視図を示す。
実施例３に係る座位補助具１０では、腰用帯板部１２が腰に当て付けられ内面に着脱可能に腰当てパッド３０を設けたものである。
腰当てパッド３０としては、座位補助具１０を構成する材料よりも堅さのある材料、例えば、発泡スチロール材などが用いられる。
そして、面ファスナー１８Ａを腰用帯板部１２とパッド３０の双方に取着し、腰用帯板部１２に着脱可能に取着されるように腰当てパッド３０を構成する。
このような腰当てパッド３０が腰用帯板部１２に取着された座位補助具１０を装着すると、腰当てパッド３０が腰に当て付けられて腰が起立される状態が保持され、腰当てパッド３０が腰部の支えとなり背もたれとして機能し、より一層背筋が延びた状態で腰部がより安定する。
なお、腰当てパッド３０に、遠赤外線を放出する物質や磁石を埋め込んでおくなど任意であり、このようにすると、血行の流れを促進し医療用の座位補助具としても機能する。
【実施例４】
【００２１】
つぎに、実施例４について説明する。
図６は使用者が足を伸ばして座っている姿勢で座位補助具を装着した状態の斜視図、図７は帯板の説明図を示す。
実施例４では、座位補助具１０に２つの帯板４０を接続して体に装着させたものであり、膝を伸ばして装着することによりベッド上で足を伸ばしたまま腰に負担をかけずに座れる姿勢がとれ、老人や病床患者がベッドの上で容易に座れるようにしたものである。
帯板４０は、座位補助具１０と同一の材料で形成され弾性及び伸縮性を有し、その両端に所定の長さの面ファスナー１８Ｂが取着されている。
【００２２】
使用方法について説明すると、例えば、腰用帯板部１２の右側に位置する上側帯板部１４の先部と下側帯板部１６の先部とに、面ファスナー１８、１８Ｂを介して帯板４０を接続しておき、同様に、腰用帯板部１２の左側に位置する上側帯板部１４の先部と下側帯板部１６の先部とに帯板４０を接続しておく。
つぎに、腰用帯板部１２を腰に当て、腰用帯板部１２の右側に位置する上側帯板部１４および下側帯板部１６ならびに帯板４０を伸張させ、上側帯板部１４を右足の内側を通し、下側帯板部１６を右足の外側を通し、帯板４０の長さ方向の中間部に足の裏を掛ける。同様に、腰用帯板部１２の左側に位置する上側帯板部１４および下側帯板部１６ならびに帯板４０を伸張させ、上側帯板部１４を左足の内側を通し、下側帯板部１６を左足の外側を通し、帯板４０の長さ方向の中間部に足の裏を掛ける。
このように左右の帯板４０を、左右の上側帯板部１４および下側帯板部１６を介して足の裏を掛けることで、上側帯板部１４および下側帯板部１６ならびに帯板４０の弾性力により腰用帯板部１２が腰に当て付けられ、足を伸ばして座っているにも拘わらず、腰用帯板部１２により腰が起立した状態が保持され、腰用帯板部１２が腰部の支えとなり背もたれとして機能する。
したがって、老人や病床患者がベッドの上で足を伸ばして座る場合に好適となる。
【図面の簡単な説明】
【００２３】
【図１】実施例１に係る座位補助具の平面図である。
【図２】使用者があぐらをかいて座っている姿勢で座位補助具を装着した状態の正面図である。
【図３】実施例２に係る座位補助具の平面図である。
【図４】使用者が椅子に座っている姿勢で座位補助具を装着した状態の正面図である。
【図５】実施例３に係る座位補助具の斜視図である。
【図６】使用者が足を伸ばして座っている姿勢で座位補助具を装着した状態の斜視図である。
【図７】帯板の説明図である。
【符号の説明】
【００２４】
１０……座位補助具、１２……腰用帯板部、１４……上側帯板部、１６……下側帯板部、１８……面ファスナー、２０……くびれ部、３０……腰当てパッド、４０……帯板。
【図１】
2005074138.tif 000003
【図２】
2005074138.tif 000004
【図３】
2005074138.tif 000005
【図４】
2005074138.tif 000006
【図５】
2005074138.tif 000007
【図６】
2005074138.tif 000008
【図７】
2005074138.tif 000009